(57)【特許請求の範囲】
【請求項１】
商品を特定する商品コードを入力する入力部と、
前記商品コードに関連付けて商品を保証するのに必要なデータを含む保証書データを記憶する保証書データ記憶部と、
商品コードを特定して保証書発行を指示する保証書発行指示手段と、
前記入力部により入力された商品コードにより特定される商品について、保証書の発行が可能に設定されているか不可に設定されているかを前記保証書データ記憶部を参照して判断する保証書発行判断手段と、
保証書の発行が可能に設定されていることが前記保証書発行判断手段で判断されると前記商品コードに対応する保証書データを前記保証書データ記憶部から読み出してプリンタに出力して保証書として発行する第１の保証書発行手段と、
保証書の発行が不可に設定されていることが前記保証書発行判断手段で判断され前記保証書発行指示手段によって保証書の発行が指示されると、特定された前記商品コードに基づいて前記保証書データ記憶部から商品を特定するデータを含めて保証書データを読み出して前記プリンタに出力して保証書を発行する第２の保証書発行手段と、
を備えたことを特徴とする商品販売データ処理装置。
【請求項２】
保証期間データを入力する保証期間入力手段を備えており、前記第２の保証書発行手段は、前記保証期間入力手段から入力された保証期間データを含めて前記保証書データを前記プリンタに出力して前記保証書を発行することを特徴とする請求項１に記載の商品販売データ処理装置。
【請求項３】
前記保証期間入力手段で入力される保証期間データは、キーボードから入力可能であることを特徴とする請求項２に記載の商品販売データ処理装置。
【請求項４】
商品コードに対応した商品の商品情報を記憶した商品マスタをさらに備え、前記保証書データ記憶部は、前記商品マスタと関連付けられていることを特徴とする請求項１乃至３のいずれか一に記載の商品販売データ処理装置。
【請求項５】
前記保証書発行指示手段は、保証書発行キーを備え、前記保証書発行キーの操作およびコードリーダで商品コードを読み取らせて実行されることを特徴とする請求項１乃至４のいずれか一に記載の商品販売データ処理装置。
【請求項６】
商品を特定する商品コードを入力する入力部と、前記商品コードに関連付けて商品を保証するのに必要なデータを含む保証書データを記憶する保証書データ記憶部とを備えたコンピュータに、
商品コードを特定して保証書発行を指示する保証書発行指示手段と、
前記入力部により入力された商品コードにより特定される商品について、保証書の発行が可能に設定されているか不可に設定されているかを前記保証書データ記憶部を参照して判断する保証書発行判断手段と、
保証書の発行が可能に設定されていることが前記保証書発行判断手段で判断されると前記商品コードに対応する保証書データを前記保証書データ記憶部から読み出してプリンタに出力して保証書として発行する第１の保証書発行手段と、
保証書の発行が不可に設定されていることが前記保証書発行判断手段で判断され前記保証書発行指示手段によって保証書の発行が指示されると、特定された前記商品コードに基づいて前記保証書データ記憶部から商品を特定するデータを含む保証書データを読み出して前記プリンタに出力して保証書を発行する第２の保証書発行手段と、
を実行させるプログラム。
【発明の詳細な説明】
【技術分野】
【０００１】
本発明の実施の形態は、商品販売データ処理装置およびプログラムに関する。
【背景技術】
【０００２】
近年、ＰＯＳ端末等の商品販売データ処理装置の中には、保証書発行キーを操作することで、購入した商品の保証事項を例えばレシート用紙に印字した保証書を装置から発行できるようにしたものがある。さらに、商品マスタの保証書の発行フラグを立てることでその商品の保証書を発行するか否かを選択でき、商品を購入した際に、保証事項を印字して当該商品の保証書を自動的に発行するようなものがある。
【０００３】
このような保証書を自動的に発行する機能は、店員が手書きにて保証書を作成しなくてもいいことから、店員の労力を低減できるものである。
【発明の概要】
【発明が解決しようとする課題】
【０００４】
しかしながら、従来技術においては、例えば商品マスタの登録や変更等のメンテナンスの際、フラグを立てることを忘れることがあり、保証書が自動的に発行できなくなることがある。このような場合、店員は別途用意された保証書に手書きにて商品名や商品型番、発行日付、保証期間等の必要事項を記載して保証書を作成していた。
【課題を解決するための手段】
【０００５】
実施の形態の商品販売データ処理装置は、商品を特定する商品コードを入力する入力部と、前記商品コードに関連付けて商品を保証するのに必要なデータを含む保証書データを記憶する保証書データ記憶部と、商品コードを特定して保証書発行を指示する保証書発行指示手段と、前記入力部により入力された商品コードにより特定される商品について、保証書の発行が可能に設定されているか不可に設定されているかを前記保証書データ記憶部を参照して判断する保証書発行判断手段と、保証書の発行が可能に設定されていることが前記保証書発行判断手段で判断されると前記商品コードに対応する保証書データを前記保証書データ記憶部から読み出してプリンタに出力して保証書として発行する第１の保証書発行手段と、保証書の発行が不可に設定されていることが前記保証書発行判断手段で判断され前記保証書発行指示手段によって保証書の発行が指示されると、特定された前記商品コードに基づいて前記保証書データ記憶部から商品を特定するデータを含めて保証書データを読み出して前記プリンタに出力して保証書を発行する第２の保証書発行手段と、を備える。
【０００６】
実施の形態のプログラムは、商品を特定する商品コードを入力する入力部と、前記商品コードに関連付けて商品を保証するのに必要なデータを含む保証書データを記憶する保証書データ記憶部とを備えたコンピュータに、商品コードを特定して保証書発行を指示する保証書発行指示手段と、前記入力部により入力された商品コードにより特定される商品について、保証書の発行が可能に設定されているか不可に設定されているかを前記保証書データ記憶部を参照して判断する保証書発行判断手段と、保証書の発行が可能に設定されていることが前記保証書発行判断手段で判断されると前記商品コードに対応する保証書データを前記保証書データ記憶部から読み出してプリンタに出力して保証書として発行する第１の保証書発行手段と、保証書の発行が不可に設定されていることが前記保証書発行判断手段で判断され前記保証書発行指示手段によって保証書の発行が指示されると、特定された前記商品コードに基づいて前記保証書データ記憶部から商品を特定するデータを含めて保証書データを読み出して前記プリンタに出力して保証書を発行する第２の保証書発行手段と、を実行させる。
【図面の簡単な説明】
【０００７】
【図１】図１は、実施の形態であるＰＯＳ端末を示す斜視図である。
【図２】図２は、ＰＯＳ端末のブロック図である。
【図３】図３は、商品マスタを示す図である。
【図４】図４は、ＰＯＳ端末の機能ブロック図である。
【図５】図５は、処理の流れを示すフローチャートである。
【図６】図６は、保証書の出力サンプルを示す図である。
【発明を実施するための形態】
【０００８】
本実施形態を図１ないし図６に基づいて説明する。図１は、実施の形態を示す斜視図であり、商品販売データ処理装置の一例であるＰＯＳ端末１を示す。
【０００９】
図１において、ＰＯＳ端末１は、ＰＯＳ端末本体６とその下部に設置されたドロワ９を有するドロワ部とからなる。ＰＯＳ端末１は、長尺状のレシート用紙を収納していて、売上情報をこのレシート用紙に印字をしてレシート発行口からレシートを発行するレシートプリンタ部２、店員に対してデータを表示する店員用表示器３、顧客に対してデータを表示する客用表示器４、ＰＯＳ端末１を起動させるための鍵を差し込むための鍵穴５、Ｉ／Ｏを介して接続されるタッチ式のバーコードリーダ７、テンキー、部門キー、小計キー、預／現計キー、領収書発行キー、精算キー等のキーボード８が設けられている。
【００１０】
店員用の表示器３は店員側に向けて設置されており、客用の表示器４は顧客側に向けて設置されており、例えば液晶表示器や蛍光管やセブンセグメント表示器で構成されている。
【００１１】
ドロワ部は、ドロワ９が開閉可能に収納されており、このドロワ９には、顧客から受け取った貨幣が収納され、また顧客に手渡す釣銭が収納されている。
【００１２】
また、バーコードリーダ７は、商品を特定するために、商品に貼付された商品コードを含むコードシンボルとしてのバーコードを読み取る。
【００１３】
図２は、ＰＯＳ端末１のハードウェア構成を示すブロック図である。図２に示すように、ＣＰＵ（Ｃｅｎｔｒａｌ  Ｐｒｏｃｅｓｓｉｎｇ  Ｕｎｉｔ）１６には、データバスラインＢＬを介してＲＯＭ（Ｒｅａｄ  Ｏｎｌｙ  Ｍｅｍｏｒｙ）１７、ＲＡＭ（Ｒａｎｄｏｍ  Ａｃｃｅｓｓ  Ｍｅｍｏｒｙ）１８、時計部１９が接続されている。ＣＰＵ１６とＲＯＭ１７とＲＡＭ１８とで制御部６１を構成する。
【００１４】
また、データバスラインＢＬには、通信Ｉ／Ｆ２０を介して前記タッチ式のバーコードリーダ７が、キーボードコントローラ２２を介して前記キーボード８が、第１の表示／入力コントローラ２３を介して店員用表示器３が、第２の表示／入力コントローラ２４を介して客用表示器４が、プリンタコントローラ２５を介して前記プリンタ２が、Ｉ／Ｏポート２７を介して前記ドロワ９が、それぞれ電気的に接続されている。前記キーボード８には手動で保証書を発行するための保証書発行キー２９が設けられている。
【００１５】
さらに、データバスラインＢＬには、上位サーバ３１を接続するためのＬＡＮＩ／Ｆ２１が設けられている。ＬＡＮＩ／Ｆ２１にはＬＡＮ回線を介して上位サーバ３１が接続されている。
【００１６】
上位サーバ３１は、ＰＯＳ端末１から売上データを収集するとともに、その売上データを図示しない本部コンピュータに送信する。また上位サーバ３１は商品マスタ３２を備えており、本部コンピュータから商品名や商品の価格等の商品データを受信し、受信した商品データを商品マスタ３２に記憶させる。
【００１７】
前記ＲＯＭ１７には、ＰＯＳ端末１を制御するための種々の制御プログラムＰが格納されている。
【００１８】
また、商品マスタ３２には、図３に示すように、商品コードに対応させて商品名、価格に加え、保証書データであり商品を特定するデータである商品型番が記憶されている商品型番エリア４１および保証期間が記憶されている保証期間エリア４２が設けられている。さらに、商品コードに対応させて、保証書を発行可能か否かを示すフラグが記憶される保証書フラグエリア４３が設けられている。本実施の形態では、保証書の発行が可能である場合にフラグ「１」が設定されており、保証書発行が不可の場合にフラグ「０」が設定されている。
【００１９】
さらに上位サーバ３１は、ＰＯＳ端末１から送信されてきた売上情報が格納される売上データエリア４４を備えており、本部コンピュータからの要求に応じて売上情報を送信する。
【００２０】
続いて、ＰＯＳ端末１が各種制御プログラムＰに基づいて実行する各種の処理について説明する。図４の機能ブロック図に示す制御部６１が、制御プログラムＰに従うことにより、保証書発行指示手段６２と保証期間入力手段６３と保証書発行判断手段６４と第１の保証書発行手段６５と第２の保証書発行手段６６とを実行する。
【００２１】
保証書発行指示手段６２は、商品コードを特定して保証書発行を指示する機能を有し、保証期間入力手段６３は、保証書に保証期間を入力する機能を有する。保証書発行判断手段６４は、入力部により入力された商品コードにより特定される商品について、保証書の発行が可能に設定されているか不可に設定されているかを保証書データ記憶部を参照して判断する機能を有する。第１の保証書発行手段６５は、保証書の発行が可能に設定されていることが前記保証書発行判断手段６４で判断されると前記商品コードに対応する保証書データを保証書データ記憶部から読み出してプリンタに出力して保証書として発行する機能を有する。第２の保証書発行手段６６は、保証書の発行が不可に設定されていることが前記保証書発行判断手段６４で判断され前記保証書発行指示手段６２によって保証書の発行が指示されると、特定された前記商品コードに基づいて保証書データ記憶部から商品を特定するデータを含む保証書データを読み出して前記プリンタに出力して保証書を発行する機能を有する。
【００２２】
図５はバーコードリーダ７によって商品に貼付されたバーコードシンボルを読み取った時に実行される処理のフローチャートである。図５において制御部６１が以下の処理を実行する。制御部６１は、バーコードシンボルの読み取りがあるまで待機していて（ＳＰ１のＮｏ）、読み取りがあると（ＳＰ１のＹｅｓ）読み取られたバーコードシンボルに含まれる商品コードを解析して、この商品コードに対応する商品情報を商品マスタ３２から読み出して（ＳＰ２）商品登録を実行する（ＳＰ３）。本実施の形態における商品登録とは、読み取られた商品コードに基づいて商品情報（商品名や商品の価格）をバッファに記憶することをいう。そして商品コード、商品名、価格等がプリンタ２で印字されたレシートを発行する（ＳＰ４）。
【００２３】
次にその商品について保証書を発行するが、制御部６１は保証書発行判断手段６４を機能させ、商品マスタ３２の当該商品コードに対応する保証書フラグエリア４３にフラグ「１」が記憶されているか否かを判断し（ＳＰ５）、フラグ「１」が記憶されている場合（ＳＰ５のＹｅｓ）、保証書の自動発行が可能であるので、制御部６１は第１の保証書発行手段６５を機能させ、商品型番エリア４１から商品型番を読み出し、また保証期間エリア４２から保証期間を読み出して（ＳＰ６）、この商品型番、保証期間を本日の日付、商品コード、商品名等とともにレシート用紙に印字して（ＳＰ７）保証書を発行する（ＳＰ８）。
【００２４】
一方、商品マスタ３２の当該商品コードに対応する保証書フラグエリア４３にフラグ「０」が記憶されている場合（ＳＰ５のＮｏ）、保証書の自動発行が不可であるので、制御部６１は店員用表示器３に自動的に保証書が発行できない旨の表示をする（ＳＰ９）。すると店員は手動で保証書発行を試みる。まず、保証書発行キー２９を操作し続いて商品に貼付されたバーコードをバーコードリーダ７によって読み取らせる。すると制御部６１は、保証書発行指示手段６２が保証書発行キー２９が操作されたかを判断し（ＳＰ１０）、操作された場合（ＳＰ１０のＹｅｓ）次に商品のバーコードが読み取られたかを判断する（ＳＰ１１）。バーコードが読み取られた場合（ＳＰ１１のＹｅｓ）制御部６１は、該当する商品コードおよび商品コードに対応した商品名や型番を読み出す（ＳＰ１２）。
【００２５】
次に制御部６１は、商品マスタ３２の保証期間エリア４２に保証期間が記憶されているかを判断する（ＳＰ１３）。この判断は、具体的な保証期間のデータが入っているか否かで判断する。保証期間が記憶されている（図３では商品コード１、商品コード２、商品コード３の商品）ならば（ＳＰ１３のＹｅｓ）制御部６１は保証期間を読み出し（ＳＰ１４）、制御部６１は先ほど読み出した商品コード、商品名、型番とともにレシート用紙に印字をして（ＳＰ７）保証書を発行する（ＳＰ８）。
【００２６】
商品マスタ３２の保証期間エリア４２に保証期間が記憶されていない（図３では商品コード４の商品）場合（ＳＰ１３のＮｏ）は、制御部６１は店員用表示器３に保証期間を入力するようメッセージを表示する。店員はこの表示を見てキーボード８から保証期間データを入力する。すると制御部６１は、保証期間入力手段６３を機能させ、入力された保証期間を登録する（ＳＰ１５）。保証期間の登録が完了すると、制御部６１は、第２の保証書発行手段６６を機能させ、先ほど読み出した商品コード、商品名、商品を特定するデータである商品型番とともにレシート用紙に保証期間を印字をして（ＳＰ７）保証書を発行する（ＳＰ８）。
【００２７】
次に本実施の形態によって発行された保証書の例を図６を用いて説明する。保証書フラグエリア４３のフラグが「１」の場合は、制御部６１はレシートの発行に続いて図６のような保証書を発行する。この保証書は、店名ロゴや時計部１９で計時された発行日付の印字、保証書であることの印字、保証される商品の商品コード、商品名、商品型番、保証期間の印字、さらに保証書を発行した店の情報が印字されている。
【００２８】
保証書フラグエリア４３のフラグが「０」の場合は、保証書発行キー２９の操作が操作され、その後に保証書を発行する商品のバーコードを読み取らせた場合、保証期間が記憶されていなくてもキーボード８等から手入力で保証期間を入力することで、制御部６１は上記と同様に図６の保証書を発行する。
【００２９】
以上本実施の形態によれば、保証書フラグが「０」となっていて保証書が自動的に発行されない場合であっても、保証書発行キー２９を操作してバーコードリーダ７から商品のバーコードを読ませるだけで、該当する商品の保証書を簡単に発行することができる。したがって、店員が商品名や商品型番等を手書きで入力して保証書を作成する必要がなくなる。
【００３０】
また、商品名と商品型番は商品マスタ３２から読み出してくるため、別途保証書データを記憶するためのメモリを設ける必要がない。
【００３１】
また、保証期間が商品マスタ３２の保証書期間エリア４２に記憶されている場合は、そのデータを利用して保証書を作成できるため、店員の負担を軽減することができる。
【００３２】
また、保証期間が商品マスタ３２の保証期間エリア４２に入っていない場合でも、店員はＰＯＳ端末１のキーボード８から入力することで、保障期間が印字された保証書を発行することができるため、やはり店員が手書きで保証書に記入する必要がない。
【００３３】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形例は、発明の範囲や要旨に含まれるとともに、特許請求の範囲に記載された発明とその均等の範囲に含まれる。
【００３４】
例えば、本実施の形態では、商品マスタ３２を上位サーバ３１内に設け、商品情報をこの商品マスタ３２から読み出すようにしたが、商品マスタ３２がＰＯＳ端末１内に設けられるようにしてもよい。
【００３５】
また、本実施の形態では、保証書に印字する商品コード、商品名、商品を特定するデータである商品型番等を商品マスタ３２に記憶し、商品マスタ３２から読み出してきたが、他の記憶部に記憶させてそこから読み出してくることも可能である。
【００３６】
また、本実施の形態では、１つの商品の購入に対して１枚の保証書を発行するようにしたが、複数の商品の購入に対して複数の保証書の発行が必要である場合に、本実施の形態のように都度１枚ずつ保証書を発行するようにしてもいいし、１枚の保証書に複数商品の保証書情報を一括して印字して１枚の保証書として発行するようにしてもいい。
【００３７】
さらに、本実施の形態では、手動で保証書を発行する場合、保証書発行キー２９を操作してから該当する商品のバーコードを読ませるようにしたが、先に保証書を発行する商品のバーコードを読ませてから保証書発行キー２９を操作するようにしてもいい。
【００３８】
また、本実施の形態では、保証期間エリア４２に保証期間が記憶されていない場合は、キーボード８から店員が入力するようにしたが、予め商品毎の保証期間が商品コードに対応して記憶された保証期間テーブルを別途記憶しておき、その中から該当する保証期間を選択して入力するようにしてもいい。
【００３９】
なお、本実施の形態の商品販売データ処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４０】
また、本実施の形態の商品販売データ処理装置で実行されるプログラムを、インターネット等のネットワークに接続されたコンピュータ上に格納し、ネットワーク経由でダウンロードさせることにより提供するように構成しても良い。また、本実施の形態の商品販売データ処理装置で実行されるプログラムをインターネット等のネットワーク経由で提供または配布するように構成しても良い。
【００４１】
また、本実施の形態の商品販売データ処理装置で実行されるプログラムを、ＲＯＭ等に予め組み込んで提供するように構成してもよい。
【符号の説明】
【００４２】
６２  保証書発行指示手段
６３  保証期間入力手段
６４  保証書発行判断手段
６５  第１の保証書発行手段
６６  第２の保証書発行手段
【先行技術文献】
【特許文献】
【００４３】
【特許文献１】特開平８−４４９５３号公報
【図１】
0005576435.tif 000002
【図２】
0005576435.tif 000003
【図３】
0005576435.tif 000004
【図４】
0005576435.tif 000005
【図５】
0005576435.tif 000006
【図６】
0005576435.tif 000007